(57)【特許請求の範囲】
【請求項１】
ＲＦタグリーダライタから無線で出力される読み取りまたは書き込み要求に対し、その要求する情報を読み取りまたは書き込むＲＦタグが貼付されたＲＦタグ貼付物体であって、
前記ＲＦタグ貼付物体に前記ＲＦタグ貼付位置の候補が複数個設けられ、前記ＲＦタグ貼付位置の候補の各々に仮番号が付与され、連続する番号に対応する２つの前記候補間の距離が算出され、その距離の総和が最大となるように最終的な番号が前記ＲＦタグ貼付位置の候補の各々に振り直され、前記ＲＦタグ貼付物体毎に前記最終的な番号順に前記ＲＦタグが貼付されることを特徴とするＲＦタグ貼付物体。
【請求項２】
前記ＲＦタグ貼付物体はカード状に形成されることを特徴とする請求項１記載のＲＦタグ貼付物体。
【請求項３】
前記ＲＦタグはラベル状またはカード状に形成されることを特徴とする請求項１または２記載のＲＦタグ貼付物体。
【請求項４】
ＲＦタグリーダライタから無線で出力される読み取りまたは書き込み要求に対し、その要求する情報を読み取りまたは書き込むＲＦタグが貼付されたＲＦタグ貼付物体におけるＲＦタグ貼付方法であって、
前記ＲＦタグ貼付物体に前記ＲＦタグ貼付位置の候補を複数個設けるステップと、前記ＲＦタグ貼付位置の候補の各々に仮番号を付与するステップと、連続する番号に対応する２つの前記候補間の距離を算出し、その距離の総和が最大となるように最終的な番号を前記ＲＦタグ貼付位置の候補の各々に振り直すステップと、任意数の前記ＲＦタグ貼付物体に対して前記ＲＦタグ貼付物体毎に前記最終的な番号順に前記ＲＦタグを貼付するステップとを含むことを特徴とするＲＦタグ貼付方法。
【請求項５】
前記ＲＦタグ貼付物体はカード状に形成されることを特徴とする請求項４記載のＲＦタグ貼付方法。
【請求項６】
前記ＲＦタグはラベル状またはカード状に形成されることを特徴とする請求項４または５記載のＲＦタグ貼付方法。
【発明の詳細な説明】
【技術分野】
【０００１】
本発明は、ＲＦタグ貼付物体およびその貼付方法に関し、特にＲＦタグのアクセス成功率を向上させるためのＲＦタグの貼付方法に関する。
【背景技術】
【０００２】
ＲＦタグ（Radio Frequency tag ）はＲＦタグリーダライタから無線（電磁誘導方式または電波方式）で出力された読み取りまたは書き込み要求に対し、その要求する情報を読み取りまたは書き込むタグ（札）である。
【０００３】
従来、複数のＲＦタグ貼付物体（たとえばカード等の比較的薄い物体）に対して、同一の位置にＲＦタグを貼付することが一般的に行われてきた。ＲＦタグを貼付する物体の形状が比較的薄く、そのＲＦタグを貼付した物体を複数枚重ねるような状況では、ＲＦタグ同士が重なった状態となり、ＲＦタグリーダライタからの読み取り要求に対する正常な応答を受信する確率、あるいは書き込み要求に対してＲＦタグの正常に書き込まれる確率（以下、「アクセス成功率」と呼ぶ）が低減する。これは、ＲＦタグリーダライタからのアクセス要求に対するＲＦタグからの応答の干渉によるものである。
【０００４】
一方、このＲＦタグからの応答の干渉を低減するための発明の一例が開示されている。その１つは、ＩＣカードに設けられた複数のコイルを、スイッチ部を介して切り換えることにより、隣接するＩＣカード同士のコイル（アンテナ）位置を変え、これにより相互インダクタンスを小さくする、というものである（たとえば、特許文献１参照）。
【０００５】
他の例は、円形のＩＣカード上にアンテナが設けられ、１つのＩＣカードを他のＩＣカードに対して回転させ、アンテナの角度（方向）を異ならせることにより、相互インダクタンスを小さくする、というものである（たとえば、特許文献２参照）。
【０００６】
【特許文献１】特開２００１−３１９２０１号公報（段落０００４、図１〜図３）
【特許文献２】特開２００１−３１９２０２号公報（段落００１０、図５、図７）
【発明の開示】
【発明が解決しようとする課題】
【０００７】
しかし、特許文献１記載の発明では、位置を変えたい数分のコイルを設ける必要があり、また、それを制御する乱数発生部、切換制御部およびメモリをＩＣカードに内蔵させる必要がある。
【０００８】
これに対し、本発明はコイルを有するＲＦタグを１個だけＲＦタグ貼付物体の異なる位置に貼付するものであり、その構成が特許文献１記載の発明と全く相違し、その構成から得られる効果も全く相違する。
【０００９】
また、特許文献２記載の発明では、同心円状に重ねられたコイルの向きが相互に異なるように配置しただけであり、その構成が本発明と全く相違する。
【００１０】
そこで本発明の目的は、比較的簡易な構成でＲＦタグからの応答の干渉を低減することが可能なＲＦタグ貼付物体およびその貼付方法を提供することにある。
【課題を解決するための手段】
【００１１】
前記課題を解決するために本発明によるＲＦタグ貼付物体は、ＲＦタグリーダライタから無線で出力される読み取りまたは書き込み要求に対し、その要求する情報を読み取りまたは書き込むＲＦタグが貼付されたＲＦタグ貼付物体であって、前記ＲＦタグ貼付物体に前記ＲＦタグ貼付位置の候補が複数個設けられ、前記ＲＦタグ貼付位置の候補の各々に仮番号が付与され、連続する番号に対応する２つの前記候補間の距離が算出され、その距離の総和が最大となるように最終的な番号が前記ＲＦタグ貼付位置の候補の各々に振り直され、前記ＲＦタグ貼付物体毎に前記最終的な番号順に前記ＲＦタグが貼付されることを特徴とする。
【００１２】
また、本発明によるＲＦタグ貼付方法は、ＲＦタグリーダライタから無線で出力される読み取りまたは書き込み要求に対し、その要求する情報を読み取りまたは書き込むＲＦタグが貼付されたＲＦタグ貼付物体におけるＲＦタグ貼付方法であって、前記ＲＦタグ貼付物体に前記ＲＦタグ貼付位置の候補を複数個設けるステップと、前記ＲＦタグ貼付位置の候補の各々に仮番号を付与するステップと、連続する番号に対応する２つの前記候補間の距離を算出し、その距離の総和が最大となるように最終的な番号を前記ＲＦタグ貼付位置の候補の各々に振り直すステップと、任意数の前記ＲＦタグ貼付物体に対して前記ＲＦタグ貼付物体毎に前記最終的な番号順に前記ＲＦタグを貼付するステップとを含むことを特徴とする。
【００１３】
本発明によれば、ＲＦタグ貼付物体を複数枚重ねた場合に、ＲＦタグが重なる確率を減らすことが可能となる。
【発明の効果】
【００１４】
本発明によれば、上記構成を含むことにより、比較的簡易な構成でＲＦタグからの応答の干渉を低減することが可能となる。
【発明を実施するための最良の形態】
【００１５】
以下、本発明の実施例について添付図面を参照しながら説明する。
【実施例１】
【００１６】
図１は本発明に係るＲＦタグ貼付物体およびその貼付方法の第１実施例の概念図である。同図（Ａ）を参照すると、第１のＲＦタグ貼付物体１−１に第１のＲＦタグ２−１が貼付され、同図（Ｂ）を参照すると、第２のＲＦタグ貼付物体１−２に第２のＲＦタグ２−２が貼付され、同図（Ｃ）を参照すると、第３のＲＦタグ貼付物体１−３に第３のＲＦタグ２−３が貼付されている。
【００１７】
これらのＲＦタグ貼付物体１−１〜１−３はカード等の比較的薄い物体で構成されている。一方、これらのＲＦタグ２−１〜２−３はラベルやカード等の比較的薄い物体で構成されている。またＲＦタグ２−１〜２−３の外周付近にはアンテナを構成するコイル３−１〜３−３が設けられ、これらのコイルにＩＣチップ４−１〜４−３が接続されている。
【００１８】
本発明では、アンテナがコイル状になっており、電磁誘導方式を想定しているが、電波方式のＲＦタグにも本発明の適用が可能である。
【００１９】
なお、本実施例ではＲＦタグ貼付物体が３個の場合について説明するが、これに限定するものではなく任意の数のＲＦタグ貼付物体について本発明の適用が可能である。
【００２０】
次に、ＲＦタグ貼付方法について説明する。図２はＲＦタグ貼付方法の手順の第１実施例のフローチャートである。各ＲＦタグ２−１〜２−３は各ＲＦタグ貼付物体１−１〜１−３のランダムな（任意の）位置に貼付される（Ｓ１）。すなわち、各ＲＦタグ貼付物体１−１〜１−３を重ねた場合に、全てのＲＦタグ２−１〜２−３が同一の位置に重ならないように各ＲＦタグ２−１〜２−３を貼付する。
【００２１】
図３はＲＦタグリーダライタを用いて本発明に係るＲＦタグの読み取りまたは書き込みを行った場合の一例の概念図である。なお、同図において図１と同様の構成部分には同一番号を付し、その説明を省略する。また、同図には一例としてＲＦタグ貼付物体を５枚（１−１〜１−５）重ねた場合を示している。
【００２２】
同図を参照すると、ＲＦタグリーダライタ５と、このＲＦタグリーダライタ５と接続されるコイル状のアンテナ６と、ＲＦタグ貼付物体１−１〜１−５とが表示されている。また、ＲＦタグ貼付物体１−１〜１−５の各々には１枚ずつＲＦタグ２が貼付されている。これらのＲＦタグ２はＲＦタグ貼付物体のランダムな位置に貼付されている。
【００２３】
第１実施例によれば、ＲＦタグリーダライタ５からアンテナ６を介して複数のＲＦタグ２にアクセスされるが、同図に示すようにＲＦタグ２が重なる確立を減らすことにより、あるいは重なる場合でもその距離が大きくなることにより（たとえば、１枚目と３枚目のＲＦタグ２が重なっても、１枚目と２枚目のＲＦタグ２は重ならない場合）、ＲＦタグ２同士の電波干渉が低減し、アクセス成功率を向上させることが可能となる。
【実施例２】
【００２４】
図４は本発明に係るＲＦタグ貼付物体およびその貼付方法の第２実施例の概念図、図５はＲＦタグ貼付方法の手順の第２実施例のフローチャートである。なお、図４において図１と同様の構成部分には同一番号を付し、その説明を省略する。
【００２５】
図４および図５を参照すると、ＲＦタグ貼付物体１にＲＦタグ２を貼付する位置の候補を複数個設定する（Ｓ１１）。図４（Ａ）には一例として、ＲＦタグ２を貼付する位置の候補を６個（７−１〜７−６）設けた場合を示している。しかし、この位置の候補７は６個に限定されるものではなく、任意の個数について本発明の適用が可能である。
【００２６】
次に、各ＲＦタグ貼付物体１のランダムな位置の候補７に１個ずつＲＦタグ２を貼付する（Ｓ１２）。
【００２７】
図４（Ａ）を参照すると、第１のＲＦタグ貼付物体１−１の位置の候補７−１に第１のＲＦタグ２−１が貼付され、図４（Ｂ）を参照すると、第２のＲＦタグ貼付物体１−２の位置の候補７−７に第２のＲＦタグ２−２が貼付され、図４（Ｃ）を参照すると、第３のＲＦタグ貼付物体１−３の位置の候補７−４に第３のＲＦタグ２−３が貼付される一例が表示されている。
【００２８】
第２実施例によれば、予めＲＦタグの貼付位置の候補を決定しておく構成であるため、ＲＦタグ貼付物体の形状、材質等の特性により、ＲＦタグを貼付できる場所が限られる場合に適用が可能である。
【実施例３】
【００２９】
図６は本発明に係るＲＦタグ貼付物体およびその貼付方法の第３実施例の概念図、図７はＲＦタグ貼付方法の手順の第３実施例のフローチャートである。なお、図６において図１および図４と同様の構成部分には同一番号を付し、その説明を省略する。
【００３０】
図６および図７を参照すると、ＲＦタグ貼付物体１にＲＦタグ２を貼付する位置の候補を複数個設定し（Ｓ２１）、それらの候補に一意の番号を付与する（Ｓ２２）。
【００３１】
図６（Ａ）の第１のＲＦタグ貼付物体１−１の例では、ＲＦタグ貼付位置の候補７−１に１番、位置の候補７−６に２番、位置の候補７−４に３番、位置の候補７−３に４番、位置の候補７−５に５番を付与している。
【００３２】
次に、番号順にＲＦタグを貼付する（Ｓ２３）。すなわち、図６（Ａ）を参照すると、第１のＲＦタグ貼付物体１−１の１番目の位置の候補７−１に第１のＲＦタグ２−１を貼付し、図６（Ｂ）を参照すると、第２のＲＦタグ貼付物体１−２の２番目の位置の候補７−６に第２のＲＦタグ２−２を貼付し、図６（Ｃ）を参照すると、第３のＲＦタグ貼付物体１−３の３番目の位置の候補７−４に第３のＲＦタグ２−３を貼付する一例が表示されている。なお、第４のＲＦタグ貼付物体１−４の４番目の位置の候補７−３に第４のＲＦタグ２−４を貼付し、第５のＲＦタグ貼付物体１−５の５番目の位置の候補７−５に第５のＲＦタグ２−５を貼付するが、これらの図示は省略する。
【００３３】
第３実施例によれば、予め貼付順序を決定しておく構成であるため、貼付順序に一定の制限を与えることが可能となる。
【実施例４】
【００３４】
図８は本発明に係るＲＦタグ貼付物体およびその貼付方法の第４実施例の概念図、図９はＲＦタグ貼付方法の手順の第４実施例のフローチャートである。なお、図８において図１、図４および図６と同様の構成部分には同一番号を付し、その説明を省略する。
【００３５】
図８および図９を参照すると、ＲＦタグ貼付物体１にＲＦタグ２を貼付する位置の候補を複数個設定する（Ｓ３１）。図８（Ａ）を参照すると、第２および第３実施例と同様に位置の候補７−１〜７−６が設定されている。
【００３６】
次に、それら候補７−１〜７−６に番号を付与するが、次に示す手順による。まず、任意の位置の候補に仮番号を付与する（Ｓ３２）。図８（Ａ）を参照すると、第３実施例（図６（Ａ）参照）と同様の番号が仮番号として付与されている。
【００３７】
次に、連続する番号に対応する２つの位置間の距離を求める（Ｓ３３）。図８（Ａ）を参照すると、１番目の位置の候補７−１と２番目の位置の候補７−６間の距離がａ、２番目の位置の候補７−６と３番目の位置の候補７−４間の距離がｂ、３番目の位置の候補７−４と４番目の位置の候補７−３６間の距離がｃ、４番目の位置の候補７−３と５番目の位置の候補７−５間の距離がｄの場合を示している。なお、ａ〜ｄは正の実数である。
【００３８】
次に、その距離の総和（すなわち、ａ＋ｂ＋ｃ＋ｄ）を求め、総和が最大となるように最終的な番号を振り直す（Ｓ３４）。
【００３９】
そして、最終的な番号が、仮に、上記図８（Ａ）に記載の番号と同一になったものとして以下説明する。もちろん、同一にならない確率のほうが高いと考えられるが、説明の便宜上このように仮定する。一方、同一にならない場合も同様に説明できることは明白である。
【００４０】
最後に、最終的な番号の順にＲＦタグ２を貼付する（Ｓ３５）。
【００４１】
図８（Ａ）を参照すると、第１のＲＦタグ貼付物体１−１の１番目の位置の候補７−１に第１のＲＦタグ２−１を貼付し、図８（Ｂ）を参照すると、第２のＲＦタグ貼付物体１−２の２番目の位置の候補７−６に第２のＲＦタグ２−２を貼付し、図８（Ｃ）を参照すると、第３のＲＦタグ貼付物体１−３の３番目の位置の候補７−４に第３のＲＦタグ２−３を貼付する一例が表示されている。なお、第４のＲＦタグ貼付物体１−４の４番目の位置の候補７−３に第４のＲＦタグ２−４を貼付し、第５のＲＦタグ貼付物体１−５の５番目の位置の候補７−５に第５のＲＦタグ２−５を貼付するが、これらの図示は省略する。
【００４２】
第４実施例によれば、各ＲＦタグ２の重なる間隔は最大となり、より高いアクセス成功率を得ることが可能となる。
【図面の簡単な説明】
【００４３】
【図１】本発明に係るＲＦタグ貼付物体およびその貼付方法の第１実施例の概念図である。
【図２】ＲＦタグ貼付方法の手順の第１実施例のフローチャートである。
【図３】ＲＦタグリーダライタを用いて本発明に係るＲＦタグの読み取りまたは書き込みを行った場合の一例の概念図である。
【図４】本発明に係るＲＦタグ貼付物体およびその貼付方法の第２実施例の概念図である。
【図５】ＲＦタグ貼付方法の手順の第２実施例のフローチャートである。
【図６】本発明に係るＲＦタグ貼付物体およびその貼付方法の第３実施例の概念図である。
【図７】ＲＦタグ貼付方法の手順の第３実施例のフローチャートである。
【図８】本発明に係るＲＦタグ貼付物体およびその貼付方法の第４実施例の概念図である。
【図９】ＲＦタグ貼付方法の手順の第４実施例のフローチャートである。
【符号の説明】
【００４４】
１  ＲＦタグ貼付物体
２  ＲＦタグ
３  コイル
４  ＩＣチップ
５  ＲＦタグリーダライタ
６  アンテナ
７  ＲＦタグを貼付する位置の候補
【図１】
0004655784.tif 000002
【図２】
0004655784.tif 000003
【図３】
0004655784.tif 000004
【図４】
0004655784.tif 000005
【図５】
0004655784.tif 000006
【図６】
0004655784.tif 000007
【図７】
0004655784.tif 000008
【図８】
0004655784.tif 000009
【図９】
0004655784.tif 000010